(57)【要約】【課題】本発明は、ハウジングとベースの連結強度が高い駆動装置、カメラ装置及び電子機器を提供する。【解決手段】本発明による駆動装置は、ハウジングとベースを備え、ハウジングは、軸方向を有し、外形が多角形を呈しており、外周側壁及び外周側壁に連結する前側の頂壁を有し、頂壁には光を通すための開口部が形成されている。ハウジングは、各々のコーナー部において階段部が形成され、階段部は、軸方向の交差方向に沿って延伸した階段平壁を有し、ベースは、前側から前に向かって突出した突出台を有し、突出台の台面は階段平壁の後側面を接着される。【選択図】図１
2020154310.tif 000002
【特許請求の範囲】
【請求項１】
ハウジングとベースを備え、前記ハウジングは、軸方向を有し、外形が多角形を呈しており、外周側壁及び前記外周側壁に連結する前側の頂壁を有し、前記頂壁には光を通すための開口部が形成されている駆動装置であって、
前記ハウジングは、各々のコーナー部において階段部が形成され、
前記階段部は、前記軸方向の交差方向に沿って延伸した階段平壁を有し、
前記ベースは、前側から前に向かって突出した突出台を有し、
前記突出台の台面は、前記階段平壁の後側面を接着する
ことを特徴とする駆動装置。
【請求項２】
各々の前記階段部は、階段状に形成された第１階段部及び第２階段部を備え、
前記第１階段部は、前記頂壁の外周側から後側に延伸した第１階段立壁、及び、前記第１階段立壁の後側から前記軸方向の交差方向に沿って延伸した第１階段平壁を備え、
前記第２階段部は、前記第１階段平壁から後側に延伸した第２階段立壁、及び、前記第２階段立壁の後側から前記軸方向の交差方向に沿って延伸した第２階段平壁を備えており、
前記第２階段立壁の内周壁面及びそれに隣接する前記外周側壁の内周壁面が磁石取付部を形成し、
前記第２階段平壁の後側面は、前記突出台の台面に接着される
ことを特徴とする請求項１に記載の駆動装置。
【請求項３】
前記ハウジングは、前記各々のコーナー部において内周側壁を更に備え、
前記内周側壁は、前記頂壁の内周側から後側に延伸し、前記内周側壁と前記第２階段立壁は、前記軸方向に直交する方向において互いに対向する
ことを特徴とする請求項２に記載の駆動装置。
【請求項４】
前記磁石取付部に設けられる磁石と、
前記ハウジング内に設けられるレンズ支持体と、
前記レンズ支持体の前側と後側の少なくとも一つの側において前記レンズ支持体を支持する弾性片と、
前記レンズ支持体の外周側に設けられるコイルと、を更に備え、
前記磁石は、前記磁石取付部における前記第２階段立壁の内周壁面及びそれに隣接する前記外周側壁の内周壁面にそれぞれ密着する側面を有する、
ことを特徴とする請求項２に記載の駆動装置。
【請求項５】
前記第１階段平壁には、前記レンズ支持体を支持するための前側弾性片が設けられる
ことを特徴とする請求項４に記載の駆動装置。
【請求項６】
前記第１階段平壁の後側面は、前記磁石の前側の位置決め面として設けられる
ことを特徴とする請求項４に記載の駆動装置。
【請求項７】
前記ベースは、外形が矩形を呈し、
前記突出台は前記ベースの四つの角部に設けられる
ことを特徴とする請求項１に記載の駆動装置。
【請求項８】
前記ハウジングの前記外周側壁の内周面には係止溝が形成され、前記係止溝に対応する前記ベースの位置には係止部材が設けられて、
前記係止部材は前記係止溝に嵌め込まれている
ことを特徴とする請求項１に記載の駆動装置。
【請求項９】
請求項２乃至６のいずれか一項に記載の駆動装置を備えたことを特徴とするカメラ装置。
【請求項１０】
請求項９に記載のカメラ装置を備えたことを特徴とする電子機器。
【発明の詳細な説明】
【技術分野】
【０００１】
本発明は、駆動装置、カメラ装置及び電子機器に関する。
【背景技術】
【０００２】
電子機器におけるカメラ装置において、駆動装置はコイルに通電すると発生する磁場と、磁石が発生する磁場との相互作用によって、レンズをカメラ装置内で移動させ、合焦を実現している。
【０００３】
現在、市販されている駆動装置のハウジングはベースに接着剤で固定され、ハウジングとベースとの連結面は、ベースの側壁及びハウジングの側壁に位置して、接着される。
【発明の概要】
【発明が解決しようとする課題】
【０００４】
しかしながら、従来の駆動装置では、ハウジングとベースの連結面の面積が小さくて、連結強度が十分ではない場合があった。
【０００５】
以上に鑑みて、本発明の目的は、ハウジングとベースの連結強度が高い駆動装置、カメラ装置及び電子機器を提供することである。
【課題を解決するための手段】
【０００６】
上記の目的を達成するために、本発明による駆動装置は、ハウジングとベースを備え、前記ハウジングは、軸方向を有し、外形が多角形を呈しており、且つ外周側壁及び前記外周側壁に連結する前側の頂壁を有し、前記頂壁には光を通すための開口部が形成されており、前記ハウジングは、各々のコーナー部において階段部が形成され、前記階段部は、前記軸方向の交差方向に沿って延伸した階段平壁を有し、前記ベースは、前側から前に向かって突出した突出台を有し、前記突出台の台面は、前記階段平壁の後側面を接着する。
【０００７】
好ましくは、各々の前記階段部は、階段状に形成された第１階段部及び第２階段部を備え、前記第１階段部は、前記頂壁の外周側から後側に延伸した第１階段立壁、及び、前記第１階段立壁の後側から前記軸方向の交差方向に沿って延伸した第１階段平壁を備え、前記第２階段部は、前記第１階段平壁から後側に延伸した第２階段立壁、及び、前記第２階段立壁の後側から前記軸方向の交差方向に沿って延伸した第２階段平壁を備えており、前記第２階段立壁の内周壁面及びそれに隣接する前記外周側壁の内周壁面が磁石取付部を形成し、前記第２階段平壁の後側面は、前記突出台の台面に接着される。
【０００８】
好ましくは、前記ハウジングは、前記各々のコーナー部において内周側壁を更に備え、前記内周側壁は、前記頂壁の内周側から後側に延伸し、前記内周側壁と前記第２階段立壁は、前記軸方向に直交する方向において互いに対向する。
【０００９】
好ましくは、本実施形態による駆動装置は、前記磁石取付部に設けられる磁石と、前記ハウジング内に設けられるレンズ支持体と、前記レンズ支持体の前側と後側の少なくとも一つの側において前記レンズ支持体を支持する弾性片と、前記レンズ支持体の外周側に設けられるコイルとを更に備え、前記磁石は、前記磁石取付部における前記第２階段立壁の内周壁面及びそれに隣接する前記外周側壁の内周壁面にそれぞれ密着する側面を有する。
【００１０】
好ましくは、前記第１階段平壁には、前記レンズ支持体を支持するための前側弾性片が設けられる。
【００１１】
好ましくは、前記第１階段平壁の後側面は、前記磁石の前側の位置決め面として設けられる。
【００１２】
好ましくは、前記ベースは、外形が矩形を呈し、前記突出台は前記ベースの四つの角部に設けられる。
【００１３】
好ましくは、前記ハウジングの前記外周側壁の内周面には係止溝が形成され、前記係止溝に対応する前記ベースの位置には係止部材が設けられて、前記係止部材は前記係止溝に嵌め込まれている。
【００１４】
また、本発明によるカメラ装置は、上述した駆動装置を備える。
【００１５】
さらに、本発明による電子機器は、上述したカメラ装置を備える。
【発明の効果】
【００１６】
本発明によれば、駆動装置において、ハウジングの階段平壁とベースの台面との接触が増えるので、ハウジングとベースとの接着面積が増え、連結強度が高い。そのため、駆動装置のハウジングの耐衝突性、耐剥離性を高めることもできる。
【図面の簡単な説明】
【００１７】
本発明の上記の特徴及びその他の特徴、性質及び利点は、以下の図面及び実施例に基づく説明からより明らかになるであろう。
【図１】本発明の一実施形態による駆動装置の分解模式図である。
【図２】駆動装置のベースの立体模式図である。
【図３】一方向からみた駆動装置のハウジングの立体模式図である。
【図４】他方向からみた駆動装置のハウジングの立体模式図である。
【図５】駆動装置の断面模式図である。
【図６】駆動装置の組立状態での立体模式図である。
【発明を実施するための形態】
【００１８】
以下には、上記主題の技術案を実施する複数の異なる実施形態又は実施例を開示している。なお、開示内容を簡略化するために、各構成要素及び配列の具体的な実施例を以下に説明しているが、これらは例に過ぎず、本発明の保護範囲について限定するものではないことは言うまでもない。例えば、明細書では後述する第１特徴が第２特徴の上方又は上面に形成され、第１及び第２特徴が直接関連する方式で形成された実施形態を含んでもよく、第１及び第２特徴の間に付加的特徴を形成する実施形態を含んで、第１及び第２特徴の間が直接関連しなくもよい。また、これらの開示内容では、異なる例において図面の符号及び／又は文字を繰り返す可能性がある。この繰り返しは、簡潔さと明瞭さのためであり、それ自体は議論される様々な実施形態及び／又は構造間の関係を表すものではない。さらに、第１構成要素が第２構成要素と関連して、又は組み合わせて説明される場合、この説明には、第１及び第２構成要素同士が直接関連し、又は組み合わされる実施形態が含まれ、１つ又は複数の他の介在要素の追加により第１及び第２構成要素同士が間接的に関連し、又は組み合わされることを含んでもよい。
【００１９】
なお、使用する場合、以下の説明で上、下、左、右、前、後、頂、底、正、反、時計回り及び反時計回りは便宜上使用されることであり、特定の固定方向を意味するものではないことに注意すべきである。実際、これらは対象の各部分間の相対的な位置及び／又は方向を反映するために使用される。
【００２０】
本実施形態の駆動装置はカメラ装置に設けられ、レンズを光軸に沿って移動できるよう駆動して、合焦を行う。図１には本発明の一実施形態による駆動装置の分解模式図が示され、駆動装置は、ハウジング１と、ハウジング１の後側に設けられてハウジング１を支持するベース２と、を備え、ハウジング１内には、前側弾性片３、後側弾性片４、レンズ支持体５、磁石６及びコイル７がそれぞれ設けられている。図１に示す一点鎖線はレンズ８の光軸を示すものであり、レンズ８の中心を通り、駆動装置の軸及びハウジング１の軸に対応する。本実施形態において、レンズ８の光軸方向の被写体側を前側、その反対側を後側とする。
【００２１】
図２には駆動装置のベース２の立体模式図が示され、図３には駆動装置のハウジング１を前側の方向からみたときの立体模式図が示され、図４には駆動装置のハウジング１を後側の方向からみたときの立体模式図が示されている。図２〜４に示すように、駆動装置のハウジング１は、導磁材料により作られ、外形が多角形を呈し、駆動装置の光軸方向に沿った軸方向を有している。本実施形態では四角形を呈している。ハウジング１は、外周側壁１６及び外周側壁１６に連結する前側の頂壁１７を有している。頂壁１７には、カメラ装置に光を通すための開口部１８が開設されており、レンズ８は組み込まれると開口部１８から突き出る。
【００２２】
ハウジング１の各コーナー部１０は、ハウジング１の厚み方向に沿って下に凹んでおり且つ階段状に形成された階段部１１を有している。階段部１１は、ハウジング１の軸方向の交差方向に沿って延伸した階段平壁１１０を有している。
【００２３】
図２に示すように、ベース２は、四角形のハウジング１に対応する四角形を呈し、ベース２の四隅からその前側に突出した突出台２１及びベース２の周縁にほぼ全周にわたり設けられた凸状リブ２２を有している。突出台２１は前面に台面２１０を有している。組立状態で、ハウジング１はベース２と当接するが、このとき、突出台２１の台面２１０は階段平壁１１０の後側面（即ち、台面と対向する面）と接着し、凸状リブ２２はハウジング１の外周側壁１６と接触する。
【００２４】
図５には駆動装置の断面模式図が示され、図５を参照して、駆動装置の他の構成について説明する。レンズ支持体５は、ハウジング１内に設けられ、レンズ８を支持するために使われる。前側弾性片３は、レンズ支持体５とハウジング１との間に設けられ、後側弾性片４は、レンズ支持体５とベース２との間に設けられ、前側弾性片３及び後側弾性片４は、ハウジング１内でレンズ支持体５を弾性的に支持するとともに、レンズ支持体５が駆動力の作用下で光軸方向（即ち、ハウジング１の軸方向）に沿って移動することを可能とする。ここで、図示と異なる実施形態において、前側弾性片３及び後側弾性片４は、レンズ支持体５の前側、後側の少なくとも一つの側に設けられても、レンズ支持体５を弾性的に支持する役割を果たすことができる。
【００２５】
コイル７は、レンズ支持体５の外周を取り囲むようにハウジング１の軸方向を巻回軸として巻回して設けられ、通電されるとレンズ支持体５の外周面に磁気回路を形成する。磁石６は、ハウジング１の内周側に設けられ、図３〜図５に示すように、磁石６は、磁石６の側面６０を介してハウジング１に吸着され、且つ、コイル７と所定の距離に離間して対向している。コイル７に電流を流したとき、コイル７は磁石６による外部磁場の作用でアンペル力を発生し、レンズ支持体及びレンズが光軸方向（即ち、ハウジング１の軸方向）に沿って移動するように駆動する。なお、巻回軸を光軸と直交する方向に有する四つのコイル７をレンズ支持体５の外周に固定して、磁石６と対向させてもよい。
【００２６】
図６には駆動装置の組立時の構成の立体模式図が示され、図１〜図６に示すように、組立状態の駆動装置において、ベース２における凸状リブ２２はハウジング１の内部で外周側壁１６と接触し、ベースの突出台２１の台面２１０は階段平壁１１０の後側面と接触する。この時、接着剤などにより凸状リブ２２と外周側壁１６、台面２１０と階段平壁１１０をそれぞれ接着することで、ハウジング１をベース２に固定する。
【００２７】
従来の駆動装置におけるベースとハウジングの接続が、ベースの凸状リブとハウジングの側壁の接着のみに依存していたのに比べ、本実施形態の駆動装置では、ハウジング１は台面２１０と階段平壁１１０の接触を増やし、ハウジング１とベース２との接着面積を増やしたので、駆動装置のハウジング１の耐衝撃性、耐剥離性を高めることができる。
【００２８】
本実施形態の一実施例は上記のようであるが、本実施形態の他の実施例において、駆動装置のハウジングは多くの点において上記実施例よりももっと多くの詳細を有することができ、且つ、これらの詳細の少なくとも一部は様々な変化を有してもよい。以下、幾つかの実施例に基づいて、この詳細及び幾つかの変化中の少なくとも一部について説明する。
【００２９】
図２、図３に示すように、本実施形態において、ハウジング１は、多角形を呈し、その各コーナー部１０において、ハウジング１の厚み方向に沿って下に複数回凹んでおり且つ各コーナー部１０でそれぞれ階段状に形成された第１階段部１２及び第２階段部１３を有している。ここで、第１階段部１２は、頂壁１７の外周側から後側に延伸した第１階段立壁１２１、及び第１階段立壁１２１の後側からハウジング１の軸方向の交差方向に沿って延伸した第１階段平壁１２２を有する。
【００３０】
また、第２階段部１３は、第１階段平壁１２２から後側に延伸した第２階段立壁１３１、及び第２階段立壁１３１の後側からハウジング１の軸方向の交差方向に沿って延伸した第２階段平壁１３２を有する。これにより、二つの階段状の第１階段部１２及び第２階段部１３が形成される。第２階段立壁１３１の内周壁面及びそれに隣接する外周側壁１６の内周壁面により、磁石６を装着するための磁石取付部１３０が形成される。第２階段平壁１３２の後側面（即ち、台面と対向する面）は、突出台２１の台面２１０と接着する。本実施形態において、磁石６は、その側面６０を介して第２階段立壁１３１の内周壁面及びそれに隣接する外周側壁１６の内周壁面に接触吸着される。磁石６の側面６０が磁場密集エリアであるため、磁石６の側面６０と導磁材料であるハウジング１を直接接触させることにより、磁石６とハウジング１との間の隙間の存在で発生する磁場損失を避けることができ、優れた導磁作用を実現することができる。
【００３１】
図３、図４に示すように、本実施形態において、ハウジング１は内周側壁１４を更に有し、内周側壁１４は、頂壁１７の内周側に設けられた開口部１８の縁部から後側に延伸し、且つ、各第２階段立壁１３１に対応してハウジング１の軸方向に直交する方向において互いに対向するように設けられる。詳しくは、内周側壁１４は、組立時に各磁石６に対応してハウジング１の軸の外側に設けられ、磁石６の磁場によって、内周側壁１４の所在領域が有効磁場領域となる。図５のように、コイル７は磁石６と内周側壁１４との間に設けられ、内周側壁１４と磁石６のコイルに対向する面との間には磁気回路が形成される。従って、コイル７に電流を流したとき、磁気回路は通電されたコイルに対しアンペル力を発生し、コイル７を駆動させる。
【００３２】
図５に示すように、本実施形態において、前側弾性片３は第１階段部１２の第１階段平壁１２２とレンズ支持体５との間に設けられ、第１階段平壁１２２は前側弾性片３を支持できるように配置されている。
【００３３】
また、本実施形態において、磁石６の前側表面が第１階段部１２の第１階段平壁１２２の後側面により規制されるため、第１階段平壁１２２の後側面は、磁石６の前側の位置決め面として設けられ、磁石６の前側に対し位置決めの役割を果たすようになる。
【００３４】
また、本実施形態において、ハウジング１は直方体に形成され、階段部１１は直方体の四つのコーナー部１０に設けられる。これに対応して、突出台２１はベース２の四つの角部に設けられる。図示の構成と異なる構成を有する他の実施形態において、ハウジング１は、他の適切な多角形体の形であってもよい。
【００３５】
さらに、本実施形態において、ハウジング１の外周側壁１６の内側には、係止溝１１４が形成され、係止溝１１４に対応するベース２の位置には係止部材１２４が立設され、駆動装置の組立時、係止部材１２４は係止溝１１４に嵌め込まれるので、ハウジング１とベース２の組立後の堅牢度をさらに高めることができる。好ましくは、組立時、係止部材１２４と係止溝１１４の接触面に接着剤を塗布してもよい。これによって、係止部材１２４を係止溝１１４に接着させ、組立後の堅牢度をさらに高めることができる。また、図２に示すように、係止部材１２４は、ベース２の障壁１２５上の凸部に設けられることが好ましい。
【００３６】
また、図１に示すように、本実施形態において、レンズ支持体５の外周側の中間部には、コイル係合溝５０が形成され、コイル７は、コイル係合溝５０の中に巻回して設けられることで、レンズ支持体５に固定される。
【００３７】
なお、駆動装置はカメラ装置に設けられており、レンズ８はカメラ装置のレンズである。カメラ装置の実施形態として、カメラ装置は、例えばノートパソコン、携帯電話などの電子機器に設けられる。
【００３８】
本発明は、上記のように好ましい実施例を開示しているが、本発明を限定するためのものではなく、当業者であれば、本発明の趣旨及び範囲から逸脱せず、変更や修正がなされ得る。従って、本発明の技術案の内容から逸脱しない限り、本発明の技術に基づいて以上の実施例に対して実質的に行う任意の修正、同等の変更及び修飾は、いずれも本発明の特許請求の範囲に含まれる。
【図１】
2020154310.tif 000003
【図２】
2020154310.tif 000004
【図３】
2020154310.tif 000005
【図４】
2020154310.tif 000006
【図５】
2020154310.tif 000007
【図６】
2020154310.tif 000008